(57)【要約】【課題】遊技者が好みの演出要素を選択可能な選択演出を実行可能な遊技機の趣向性を向上させること。【解決手段】複数段階の区分に区分けされた、複数種の演出要素を記憶する記憶手段と、前記複数種の演出要素のうちの一部が選択可能要素として示され、当該選択可能要素のうちから出力する演出要素を遊技者が任意に選択可能な選択演出を実行する演出実行手段と、Ｎ（Ｎは０を除く自然数）段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはＮ＋α段階（αは２以上の自然数）の区分に属する一または複数の演出要素を新たに前記選択可能要素として設定することが可能な選択可能要素設定手段と、を備える遊技機１とする。【選択図】図５
2018161231.tif 000002
【特許請求の範囲】
【請求項１】
複数段階の区分に区分けされた、複数種の演出要素を記憶する記憶手段と、
前記複数種の演出要素のうちの一部が選択可能要素として示され、当該選択可能要素のうちから出力する演出要素を遊技者が任意に選択可能な選択演出を実行する演出実行手段と、
Ｎ（Ｎは０を除く自然数）段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはＮ＋α段階（αは２以上の自然数）の区分に属する一または複数の演出要素を新たに前記選択可能要素として設定することが可能な選択可能要素設定手段と、
を備えることを特徴とする遊技機。
【請求項２】
前記選択可能要素設定手段は、前記第二条件が成立したときには、Ｎ＋１段階以上かつＮ＋α段階未満の区分に属する一または複数の演出要素を前記選択可能要素として設定しないことを特徴とする請求項１に記載の遊技機。
【請求項３】
前記第二条件として、通常大当たりとは異なる特定大当たりに当選したことが設定されていることを特徴とする請求項１または請求項２に記載の遊技機。
【請求項４】
前記第二条件が成立したときに前記選択可能要素として新たに設定される演出要素が、当該第二条件成立の契機となった特定大当たり中に出力されることを特徴とする請求項３に記載の遊技機。
【請求項５】
複数段階の区分に区分けされた、複数種の演出要素を記憶する記憶手段と、
前記複数種の演出要素のうちの一部が選択可能要素として示され、当該選択可能要素のうちから出力する演出要素を遊技者が任意に選択可能な選択演出を実行する演出実行手段と、
Ｎ段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはいずれの区分にも属さない特別演出要素を新たに前記選択可能要素として設定する選択可能要素設定手段と、
を備えることを特徴とする遊技機。
【発明の詳細な説明】
【技術分野】
【０００１】
本発明は、遊技機に関する。
【背景技術】
【０００２】
楽曲等の演出要素について、遊技者が好みの演出要素を選択し、その演出要素が出力されるようにした遊技機が公知である（例えば、下記特許文献１参照）。
【先行技術文献】
【特許文献】
【０００３】
【特許文献１】特開２０１５−１４２６９１号公報
【発明の概要】
【発明が解決しようとする課題】
【０００４】
本発明が解決しようとする課題は、遊技者が好みの演出要素を選択可能な選択演出を実行可能な遊技機の趣向性を向上させることを目的とする。
【課題を解決するための手段】
【０００５】
上記課題を解決するためになされた本発明にかかる遊技機は、複数段階の区分に区分けされた、複数種の演出要素を記憶する記憶手段と、前記複数種の演出要素のうちの一部が選択可能要素として示され、当該選択可能要素のうちから出力する演出要素を遊技者が任意に選択可能な選択演出を実行する演出実行手段と、Ｎ（Ｎは０を除く自然数）段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはＮ＋α段階（αは２以上の自然数）の区分に属する一または複数の演出要素を新たに前記選択可能要素として設定することが可能な選択可能要素設定手段と、を備えることを特徴とする。
【０００６】
前記選択可能要素設定手段は、前記第二条件が成立したときには、Ｎ＋１段階以上かつＮ＋α段階未満の区分に属する一または複数の演出要素を前記選択可能要素として設定しないようにするとよい。
【０００７】
前記第二条件として、通常大当たりとは異なる特定大当たりに当選したことが設定されているとよい。
【０００８】
前記第二条件が成立したときに前記選択可能要素として新たに設定される演出要素が、当該第二条件成立の契機となった特定大当たり中に出力されるようにするとよい。
【０００９】
上記課題を解決するためになされた別の本発明にかかる遊技機は、複数段階の区分に区分けされた、複数種の演出要素を記憶する記憶手段と、前記複数種の演出要素のうちの一部が選択可能要素として示され、当該選択可能要素のうちから出力する演出要素を遊技者が任意に選択可能な選択演出を実行する演出実行手段と、Ｎ段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはいずれの区分にも属さない特別演出要素を新たに前記選択可能要素として設定する選択可能要素設定手段と、を備えることを特徴とする。
【発明の効果】
【００１０】
本発明によれば、遊技者が好みの演出要素を選択可能な選択演出を実行可能な遊技機の趣向性を向上させることが可能である。
【図面の簡単な説明】
【００１１】
【図１】本発明の一実施形態にかかる遊技機の正面図である。
【図２】（ａ）は表示装置（表示領域）に識別図柄が表示された状態を示した図であり、（ｂ）は大当たりの種類と遊技状態の移行の関係を示した図であり、（ｃ）は各段階の区分と楽曲の種類の対応関係を示した表である。
【図３】選択演出の概要を説明するための図である。
【図４】第一条件が成立したときの選択演出の変化（選択可能要素の変化）を示した図である。
【図５】第二条件が成立したときの選択演出の変化（選択可能要素の変化）を示した図である。
【図６】第二条件が成立した後、第一条件が成立したときの選択演出の変化（選択可能要素の変化）を示した図である。
【図７】二回目以降の第二条件が成立したときに、選択演出が変化する（選択可能要素が変化する）例を示した図である。
【図８】二回目以降の第二条件が成立したときに、選択演出が変化しない（選択可能要素が変化しない）例（図７に示した例とは異なる例）を示した図である。
【図９】第一条件が成立した場合、第二条件が成立した場合のいずれであっても、新たに追加される楽曲が楽曲Ｇとなる場合があることを説明するための図である。
【図１０】第一変形例を説明するための図である。
【図１１】第二変形例を説明するための図である。
【図１２】第三変形例を説明するための図である。
【図１３】第四変形例を説明するための図である。
【図１４】第五変形例を説明するための図である。
【図１５】第六変形例を説明するための図である。
【発明を実施するための形態】
【００１２】
以下、本発明にかかる遊技機１の一実施形態について図面を参照して詳細に説明する。まず、図１を参照して遊技機１の全体構成について簡単に説明する。遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１３】
遊技領域９０２には、始動入賞口９０４、大入賞口９０６、アウト口９０７などが設けられている。表示装置９１は、遊技盤９０の後方に設けられており、表示装置９１の表示領域９１１は遊技盤９０に形成された開口９０１を通じて視認可能となる領域である。なお、各図においては、表示領域９１１を大まかに記載するが、その形状等は適宜変更可能である（開口９０１の形状や大きさ、表示装置９１自体の形状や大きさを変更することで表示領域９１１の形状等を変更することができる）。
【００１４】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１５】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１６】
なお、遊技機１の枠体、遊技球を貯留する下皿や上皿など、本発明に関係のない遊技機１の構成要素は説明を省略する。これらについては公知の遊技機と同様の構造のものが適用できる。
【００１７】
当否の抽選（当否判定）は、図示されない制御基板に設けられた当否判定手段が、図１に示す始動入賞口９０４への遊技球の入賞を契機として実行する（このような始動入賞口９０４は複数設けられていてもよい）。なお、本実施形態では入賞「口」（入賞した遊技球が内部に取り込まれるもの）であるが、入賞「領域」（入賞した遊技球がそのまま遊技領域９０２を流下するもの。入賞領域をゲートのような態様としたものが例示できる）であってもよい。始動入賞口９０４への遊技球の入賞を契機として乱数源から数値（当否判定情報）が取得され、当該数値が予め定められた大当たりの数値と同じである場合には大当たりとなり、異なる場合にははずれとなる。また、始動入賞口９０４は、遊技球の進入が検出されることを契機として所定数の遊技球（いわゆる賞球）が払い出されるものでなくてもよい。
【００１８】
当否判定結果が大当たりであるかはずれであるかは、表示装置９１の表示領域９１１に表示される複数種の識別図柄１０（図２（ａ）参照）の組み合わせによって報知される。具体的には、それぞれが複数種の識別図柄１０を含む三つの識別図柄群が変動表示され、各識別図柄群から選択された一つの識別図柄１０が停止することにより当該組み合わせが構築される。大当たりを示す組み合わせとしては、同じ識別図柄１０の三つ揃いが例示できる。はずれである場合には識別図柄１０は大当たりとなる組み合わせ以外の組み合わせで停止する。
【００１９】
大当たりに当選した場合には大当たり遊技が実行される。大当たり遊技は、大入賞口９０６が頻繁に開放状態となり、遊技者が多くの遊技球（いわゆる出玉）を獲得することができるものである。当該大当たり遊技中には、詳細を後述する複数種の楽曲のいずれかが出力されることになる。なお、上記当否判定や、大当たり遊技における大入賞口９０６の制御等、いわゆる出玉に直結する制御は、主制御基板に構築された回路によりなされる。一方、詳細を後述する大当たり遊技中に出力される楽曲の制御は、サブ制御基板に構築された回路によりなされる。
【００２０】
図２（ｂ）に示すように、本実施形態にかかる遊技機１は、大当たりの獲得を目指す遊技状態として、通常遊技状態と、当該通常遊技状態よりも当否判定抽選に当選する確率が高い高確率遊技状態（いわゆる確率変動状態）が設定されている。また、大当たりとして、大当たり遊技終了後の遊技状態が通常遊技状態となる低確大当たりと、大当たり遊技終了後の遊技状態が高確率遊技状態となる確変大当たりが設定されている。したがって、確変大当たりに当選し続ける限り、遊技状態として高確率遊技状態が設定され続ける（いわゆる連チャンする）ことになる。なお、本実施形態では、高確率遊技状態は、始動入賞口９０４への遊技球の入賞が容易になる公知の高ベース状態でもあるため、高確率遊技状態に突入した場合、遊技者は、あまり遊技球を減らすことなく次の大当たりを獲得することができる。高ベース状態は、普通始動領域９０５に遊技球が進入することを契機とした抽選に当選しやすい状態である。当該抽選に当選することで、始動入賞口９０４の近傍に設けられた開閉部材９０５ａが開状態となり、始動入賞口９０４への遊技球の入賞が容易になる。
【００２１】
このように、本実施形態にかかる遊技機１は、確変大当たりに当選する限り連チャンすることになるいわゆる確変ループ機である。ただし、当否判定抽選が所定回数連続してはずれとなるまで継続する（当該所定回数の当否判定抽選を実行するまでの間に大当たりに当選すれば連チャンとなる）高確率遊技状態を搭載したもの（いわゆるＳＴ機）であってもよい。また、当否判定抽選に当選する確率は低い状態であるが高ベース状態である遊技状態（時間短縮遊技状態）が設定され、当該状態中に大当たりに当選した場合であっても、「連チャン」扱いとする設定としてもよい。以下で詳細を説明するように、本実施形態にかかる遊技機１は、基本的には、連チャン回数に応じて選択可能な楽曲が増えていくものである。
【００２２】
本実施形態にかかる遊技機１は、演出制御用の基板であるサブ制御基板に構築された回路により、種々の演出が制御される。当該演出の一種として、大当たり遊技中に、音出力装置（スピーカ９２）を通じて楽曲を出力する演出（以下、楽曲出力演出と称することもある）が実行される。つまり、当該楽曲は、大当たり遊技中に実行される演出を構成する演出要素であるともいえる。以下、かかる楽曲出力演出について詳細に説明する。
【００２３】
楽曲出力演出用の楽曲として、複数種の楽曲が図示されない記憶手段に記憶されている。本実施形態では、楽曲Ａ〜楽曲Ｇの七曲が記憶されている。図３（ｃ）に示すように、当該楽曲は、複数段階の区分に区分けされている。本実施形態では、第１段階の区分に楽曲Ａ、第２段階の区分に楽曲Ｂ、第３段階の区分に楽曲Ｃ・・・第７段階の区分に楽曲Ｇというように、各区分に一つの楽曲が属するよう区分けされている。
【００２４】
本実施形態では、大当たり遊技が開始される前、または大当たり遊技が開始された後の所定期間において、選択演出が実行されることがある（図３参照）。例えば、大入賞口９０６が開放状態となることを複数回（複数ラウンド）繰り返す大当たり遊技であれば、最初のラウンド遊技（１ラウンド遊技）を含む一または複数のラウンド遊技間を当該所定期間として設定することができる。選択演出は、遊技者が大当たり遊技中にスピーカ９２より出力される楽曲を選択可能な楽曲のうちから選択するためのものである。
【００２５】
通常遊技状態中に大当たりに当選した場合（いわゆる初当たりに当選した場合）の選択演出（以下、初当たり選択演出と称することもある）時には、楽曲Ａ、楽曲Ｂの二つが選択可能な楽曲（以下、選択可能楽曲と称することもある）として設定される（図３（ａ）参照）。つまり、第１段階および第２段階の区分に属する楽曲が選択可能楽曲として設定される。ただし、これはあくまで一例である。例えば、初当たり選択演出において、第１段階の楽曲Ａのみが選択可能楽曲として設定される構成としてもよい。
【００２６】
選択演出において、遊技者に対し楽曲を選択させるための手法はどのようなものであってもよい。本実施形態では、遊技者が一または複数の操作手段９３（押しボタン等）を操作することによっていずれかの楽曲を選択可能な構成が構築される。具体的には、選択可能な楽曲のいずれかにカーソルが位置した（カーソルを合わせた）状態で、決定用の操作手段９３を操作することで、当該カーソルが位置した楽曲が選択されることになる（図３（ｂ）参照）。また、各回の選択演出において新たに追加された選択可能楽曲が、それ以外の楽曲（先の選択演出が発生した時点で既に選択可能楽曲であった楽曲）と区別できるようにするとよい。図示しないが、例えば、新たに追加された選択可能楽曲に「ＮＥＷ」といった文字が付加されるようにするとよい。
【００２７】
初当たり選択演出時には、楽曲Ａ、楽曲Ｂのいずれかにカーソルを位置させることが可能となる。選択可能な期間（以下、選択有効期間と称する）が併せて表示されるような構成としてもよい。なお、初当たり選択演出が、一の楽曲のみ選択可能なものであってもよい。このような構成である場合、初当たり選択演出は、実質的には楽曲を「選択」することができないものであるということになるが、このような初当たり選択演出であっても「選択演出」であるものとみなす。また、選択可能楽曲のうちのいずれかが自動的に選択される場合があってもよい。例えば、「ランダム選択」といった選択肢を設定し、これを遊技者が選択した場合、自動的に楽曲が選択される構成としてもよい。また、選択有効期間中に選択可能楽曲のいずれをも遊技者が選択しなかった場合には、自動的に楽曲が選択される構成としてもよい。
【００２８】
上記と逆の見方をすれば、初当たり選択演出においては、楽曲Ｃ〜楽曲Ｇについては遊技者が選択可能な楽曲ではない、すなわち選択不可能な楽曲（以下、選択不能楽曲と称することもある）であるということである。このような選択できない楽曲については、選択演出時に全く表示されないようにしてもよいし、いずれ選択可能となる可能性があることを示唆するために選択可能な楽曲とは異なる態様で表示される等してもよい。つまり、初当たり選択演出においては、選択不能楽曲である楽曲Ｃ〜楽曲Ｇが全く表示されないようにしてもよいし、楽曲Ａや楽曲Ｂとは異なる態様で表示される等してもよい。「異なる態様」を実現するための構成としては、選択不能楽曲が選択可能楽曲よりも不明瞭な態様で表示されること、選択不能楽曲に対して「選択できません」といった表示を付すこと、現状は選択することができない別の楽曲が搭載されていることのみ示唆すること等を例示することができる。これらを組み合わせた構成としてもよい。選択不能楽曲を表示する場合には、これらの楽曲の表示に対しては、選択のためのカーソルを位置させることができないようにされる。
【００２９】
かかる選択演出において遊技者により選択した楽曲は、大当たり遊技中にスピーカ９２より出力される（図３（ｃ）参照）。
【００３０】
上述したように、本実施形態における大当たりは、当たり遊技終了後の遊技状態が通常遊技状態となる低確大当たりと、大当たり遊技終了後の遊技状態が高確率遊技状態となる確変大当たりが設定されている。かかる大当たりの区分けは、遊技者が得る直接的な利益（大当たり遊技終了後の遊技状態が高確率遊技状態となるか否か）についてのものである。これとは別の概念として、各大当たりは、通常大当たりと特定大当たりに区分けされる。なお、通常大当たりと特定大当たりの区分けは、遊技者が得る直接的な利益（大当たり遊技終了後の遊技状態や、大当たり遊技中に獲得できる遊技球（いわゆる出玉）の期待値）に関係するものであってもよいし、全く関係しないものであってもよい。本実施形態では、確変大当たりの少なくとも一部が特定大当たりに設定され、それ以外の大当たりの少なくとも一部は通常大当たりとして設定されている。より具体的には、特定大当たりは、遊技者が得る利益（大当たり遊技終了後の遊技状態やいわゆる出玉によって決まる利益）が最も大きい大当たり（本実施形態では１６ラウンド確変大当たり（最も出玉の期待値が大きく、かつ、大当たり遊技終了後の遊技状態が遊技者に有利なものとなる大当たり））の少なくとも一部である。ただし、特定大当たりは、通常大当たりに比して当選しにくい大当たりであることが望ましい。すなわち、後述する第二条件は、第一条件に比して成立しにくい条件であることが望ましい。また、大当たりが特定大当たりであるか否かが、遊技者が判別可能であることが望ましい。例えば、特定大当たりとなる場合、「７」の識別図柄１０の三つ揃いで大当たりが報知されるような構成（特定大当たりではない場合には、「７」の識別図柄１０の三つ揃いが発生しない構成）とすればよい。なお、通常大当たりと特定大当たり以外に区分けされる大当たりが設定されていてもよい。
【００３１】
いわゆる連チャンとなる次の大当たりに当選した場合には、再び選択演出が実行される。新たに発生する選択演出においては、先に実行された選択演出よりも選択可能楽曲が増加する。なお、本実施形態では、連チャンとなる大当たりが低確大当たり、確変大当たりのいずれであっても選択演出が実行されるように設定されているが、確変大当たりである場合に限り選択演出が実行されるようにしてもよい（この場合には、確変大当たりの一部が通常大当たりであり、他の一部が特定大当たりである必要がある）。以下、連チャンとなる大当たりが通常大当たりである場合と、特定大当たりである場合とに分けて説明する。なお、以下で説明する制御は、特に明記する場合を除き、一連の連チャンにおいて（いわゆる初当たりを含めて）、未だ特定大当たりに当選していない状況（後述する第二条件が成立していない状況）における制御である。
【００３２】
大当たりが通常大当たりである場合、第一条件が成立したものとして以下のように制御する。通常大当たりに当選したときの選択演出（以下、新たに発生する選択演出を対象選択演出と称することもある）において追加される選択可能楽曲は、先の選択演出（対象選択演出の一つ前の選択演出のことをいう）における選択可能楽曲に基づくものである。具体的には、先の選択演出においてＮ（Ｎは０を除く自然数）段階以下の区分に属する楽曲が選択可能楽曲として設定されていた場合には、対象選択演出においてはＮ＋１段階の区分に属する楽曲が新たに選択可能楽曲として追加される。例えば、先の選択演出が初当たり選択演出である場合には楽曲Ａと楽曲Ｂが選択可能楽曲として設定されている、すなわち第１段階、第２段階の区分に属する楽曲が選択可能楽曲として設定されているのである（図４（ａ）参照）から、対象選択演出においては第３段階（Ｎ（＝２）＋１＝３）の区分に属する楽曲Ｃが新たに選択可能楽曲として追加される（図４（ｂ）参照）。次に当選した大当たり（連チャンとなる大当たり）も通常大当たりであれば、その選択演出においては第４段階の区分に属する楽曲Ｄが新たに選択可能楽曲として追加されることとなる。このように、通常大当たりにより連チャンが発生する場合には、一段階毎に選択可能な楽曲が増加していくことになる。
【００３３】
大当たりが特定大当たりである場合、第二条件が成立したものとして以下のように制御する。特定大当たりに当選したときの選択演出（対象選択演出）において追加される選択可能楽曲は、通常大当たりに当選したときの場合と同様に、先の選択演出における選択可能楽曲に基づくものである。具体的には、先の選択演出においてＮ段階以下の区分に属する楽曲が選択可能楽曲として設定されていた場合には、対象選択演出においてはＮ＋α（αは２以上の自然数）段階の区分に属する楽曲が新たに選択可能楽曲として追加される。つまり、先の選択演出において設定されている段階の次の段階の区分に属する楽曲を新たに追加するのではなく、二段階以上先の段階の区分に属する楽曲を新たに追加する。本実施形態では、第二条件が成立した場合には、先の選択演出がどのような状況（Ｎの値がどのようなもの）であっても、対象選択演出において、最も高い段階の区分に属する楽曲、すなわち楽曲Ｇが追加されるよう構成されている。換言すれば、特定大当たりに当選したことにより追加される楽曲Ｇは、当該特定大当たりに対応した特別な楽曲であるということができる。なお、本実施形態において、上記αの値は不定である（変化する）ということになる。
【００３４】
例えば、先の選択演出が初当たり選択演出である場合には楽曲Ａと楽曲Ｂが選択可能楽曲として設定されている、すなわち第１段階、第２段階の区分に属する楽曲が選択可能楽曲として設定されている（図５（ａ）参照）のであるから、対象選択演出においては楽曲Ａ、楽曲Ｂ、楽曲Ｇが選択可能楽曲ということになる（α＝５ということになる）（図５（ｂ）参照）。また、先の選択演出において設定された選択可能楽曲が楽曲Ａ、楽曲Ｂ、楽曲Ｃである場合（Ｎ＝３である場合）には、対象選択演出においては、楽曲Ａ、楽曲Ｂ、楽曲Ｃ、楽曲Ｇが選択可能楽曲ということになる（α＝４ということになる）。
【００３５】
このように、第二条件が成立したときには楽曲Ｇが選択可能楽曲として追加されるが、先の選択演出において選択可能楽曲として設定されていた楽曲の段階を超える段階に属し、かつ、楽曲Ｇの段階（本実施形態では第７段階）未満の段階に属する楽曲は追加されない。つまり、第二条件が成立したときには、Ｎ＋１段階以上かつＮ＋α段階未満の区分に属する楽曲は、対象選択演出において選択可能楽曲として追加されない。例えば、先の選択演出において設定された選択可能楽曲が楽曲Ａ、楽曲Ｂ、楽曲Ｃである場合（Ｎ＝３である場合）には、対象選択演出においては、楽曲Ｄ、楽曲Ｅ、楽曲Ｆは選択可能楽曲として追加されない。
【００３６】
ただし、第二条件が成立したときの選択演出において、Ｎ＋１段階以上かつＮ＋α段階未満の区分に属する楽曲も選択可能楽曲として追加されるような構成とすることを否定するわけではない。このような構成とすれば、第二条件が成立したときには、Ｎ＋１段階〜Ｎ＋α段階の区分に属する楽曲が一気に選択可能楽曲として追加されることとなるから、特定大当たりの価値を高めることが可能である。
【００３７】
また、第二条件が成立（特定大当たりに当選）し、楽曲Ｇが選択可能楽曲として追加された後、第一条件が成立（通常大当たりに当選）したときには、それを契機として発生する選択演出においては、Ｎ＋１段階の区分に属する楽曲が選択可能楽曲として追加される。例えば、第二条件が成立したことで、選択可能楽曲が楽曲Ａ、楽曲Ｂ、楽曲Ｃ、楽曲Ｇとなった（図６（ａ）参照）後、第一条件が成立したことによって発生する選択演出においては、新たに楽曲Ｄが選択可能楽曲として追加される（選択可能楽曲は、楽曲Ａ、楽曲Ｂ、楽曲Ｃ、楽曲Ｄ、楽曲Ｇとなる）（図６（ｂ）参照）。
【００３８】
一方、第二条件が成立（特定大当たりに当選）し、楽曲Ｇが選択可能楽曲として追加された後、再び第二条件が成立したときの制御はどのようなものであってもよい。例えば、第一条件が成立した場合と同様に取り扱い、Ｎ＋１段階の区分に属する楽曲が選択可能楽曲として追加されるようにしてもよい。つまり、（一連の連チャン中において）二回目以降に成立した第二条件は、第一条件が成立した場合と同様に取り扱われるよう制御されるようにしてもよい。例えば、第二条件が成立したことで、選択可能楽曲が楽曲Ａ、楽曲Ｂ、楽曲Ｃ、楽曲Ｇとなった（図７（ａ）参照）後、再び第二条件が成立したことによって発生する選択演出においては、新たに楽曲Ｄが選択可能楽曲として追加される（選択可能楽曲は、楽曲Ａ、楽曲Ｂ、楽曲Ｃ、楽曲Ｄ、楽曲Ｇとなる）（図７（ｂ）参照）。
【００３９】
これとは異なり、新たな楽曲が追加されないようにしてもよい。つまり、一回目の第二条件の成立により楽曲Ｇが選択可能楽曲とされた（図８（ａ）参照）のであるから、二回目以降の第二条件の成立時には、新たな楽曲が選択可能楽曲として追加されないようにしてもよい（図８（ｂ）参照）。
【００４０】
また、先の選択演出において設定された選択可能楽曲が楽曲Ａ〜楽曲Ｆである場合（Ｎ＝６である場合）に第二条件が成立したときには、対象選択演出において楽曲Ｇが新たに選択可能楽曲として追加されることになる。つまり、先の選択演出がＮ＝６であるとき（図９（ａ）参照）においては、第一条件が成立した場合、第二条件が成立した場合のいずれであっても、新たに追加される楽曲は楽曲Ｇとなる（図９（ｂ）参照）。
【００４１】
なお、当然ではあるが、全ての楽曲が選択可能楽曲として設定された状態以降は、その他の楽曲（楽曲出力演出として出力することができる楽曲）が存在しないのであるから、選択可能楽曲が増加することはない。
【００４２】
このように、本実施形態では、通常大当たりに当選した場合（第一条件が成立した場合）には、選択可能楽曲として追加される楽曲は一段階進行した区分に属するものになる一方、特定大当たりに当選した場合（第二条件が成立した場合）には、選択可能楽曲として追加される楽曲は二段階以上ステップアップした区分に属するものとなる可能性がある。つまり、特定大当たりに当選した場合には、基本的には大当たりを複数回重ねなければ（連チャンを重ねなければ）聴くことができない楽曲（本実施形態では楽曲Ｇ）を聴くことができることになるという、面白みのある遊技性を実現することが可能となる。
【００４３】
以下、上記実施形態にかかる遊技機１を改良、変形等した変形例について、上記実施形態と異なる点を中心に説明する。なお、各具体例を用いて説明する技術思想を複数適用した構成としてもよい。
【００４４】
・第一変形例
上記実施形態では、各段階の区分に一のみの楽曲が属するように区分けされていることを説明したが、少なくともいずれかの区分に複数の楽曲が属するように区分けされていてもよい（図１０（ａ）参照）。この場合、第一条件または第二条件が成立することを契機として、ある区分に属する楽曲を選択可能楽曲とするに際し、当該ある区分に複数の楽曲が属している場合、その区分に属する複数の楽曲の全てが一度に選択可能楽曲として設定される構成（図１０（ｂ）、（ｃ−１）参照）としてもよいし、対象の区分に属する複数の楽曲のうちの一部が選択可能楽曲として設定される構成（図１０（ｂ）、（ｃ−２）参照）としてもよい。
【００４５】
・第二変形例
上記実施形態では、特定大当たりに当選したとき（第二条件が成立したとき）に選択可能楽曲として追加される楽曲として楽曲Ｇが設定されていることを説明したが、このような関係が複数設定されていてもよい。つまり、特定大当たりは、本来であれば連チャンを重ねなければ選択可能とはならない楽曲が選択可能となるものであるところ、このような楽曲と特定大当たりの関係が複数設定されたものとしてもよい。
【００４６】
例えば、特定大当たりとして、第一特定大当たりと第二特定大当たりの二種類が設定されたものとする。そして、第一特定大当たりに楽曲Ｆが、第二特定大当たりに楽曲Ｇが対応づけられた構成とする。つまり、第一特定大当たりに当選した場合には楽曲Ｆが選択可能楽曲として新たに追加され（図１１（ａ）、（ｂ）参照）、第二特定大当たりに当選した場合には楽曲Ｇが選択可能楽曲として新たに追加される構成（図１１（ｃ）、（ｄ）参照）とする。このような構成とすれば、特別な大当たりに当選することによって選択可能となる「特別な楽曲」が増加することになるため、遊技の趣向性を向上させることができる。第一特定大当たりと第二特定大当たりの違いはどのようなものであってもよいが、遊技者が区別できるものであることが好ましい。例えば、第一特定大当たりに当選したときと、第二特定大当たりに当選したときとでは、大当たりに当選したことを報知する識別図柄１０の組み合わせが異なるものとすることが考えられる。
【００４７】
なお、上記の構成において、楽曲Ｆと楽曲Ｇは同じ段階の区分に属するものとしてもよいし、異なる段階の区分に属するものとしてもよい。同じ段階の区分に属するものとする場合には、設定された段階のうち、最も高い段階に当該楽曲Ｆと楽曲Ｇが属するようにする。異なる段階の区分に属するものとする場合には、楽曲Ｆと楽曲Ｇの一方が最も高い段階の区分に属するものとし、他方が最も高い段階から一つ低い段階の区分に属するものとする。つまり、複数の「特別な楽曲」が属する区分の段階ができるだけ高くなるようにする。
【００４８】
また、このような構成の場合、第一特定大当たりに当選して楽曲Ｆが選択可能楽曲に追加された後、再び第一特定大当たりに当選した場合には、楽曲Ｇが選択可能楽曲として追加されるようにしてもよい。つまり、一連の連チャンにおいて、複数種の特定大当たりのうち、ある特定大当たりに当選していない段階で、別の大当たりに複数回当選した場合には、二回目以降の当該別の大当たりに当選することを契機として、ある特定大当たりに対応づけられた楽曲が選択可能楽曲として追加されるようにしてもよい。
【００４９】
・第三変形例
上述したように、第二条件が成立したときには、Ｎ＋α段階の区分に属する楽曲が選択可能楽曲として追加される。上記実施形態では、かかるαの値が不定である（変化しうる）ことを説明したが、αの値が一定であってもよい。例えば、α＝２とすれば、第二条件が成立したときには、先の選択演出において設定されていた選択可能楽曲（Ｎ段階以下の区分に属する選択可能楽曲）から段階を二つ上げた区分に属する楽曲が選択可能楽曲として追加されることになる。例えば、先の選択演出において楽曲Ａ、楽曲Ｂが選択可能楽曲として設定されていた場合には、対象選択演出において楽曲Ｄが選択可能楽曲として新たに追加されることになる（図１２（ａ）、（ｂ）参照）。別の例で言えば、先の選択演出において楽曲Ａ、楽曲Ｂ、楽曲Ｃが選択可能楽曲として設定されていた場合には、対象選択演出において楽曲Ｅが選択可能楽曲として新たに追加されることになる（図１２（ｃ）、（ｄ）参照）。
【００５０】
ただし、Ｎ＋αの段階が設定されていない状況となった場合には、設定されている最も高い段階の区分に属する楽曲が追加されるようにすればよい。例えば、α＝３に設定された構成において、先の選択演出において楽曲Ａ、楽曲Ｂ、楽曲Ｃ、楽曲Ｄ、楽曲Ｅが選択可能楽曲として設定されていた場合（Ｎ＝５である場合）には、Ｎ＋α＝８となるが、８段階の区分に属する楽曲が設定されていないことを理由に、最も高い段階である７段階の区分に属する楽曲Ｇが対象選択演出において選択可能楽曲として新たに追加されることになる。
【００５１】
・第四変形例
第二条件が成立したとき（特定大当たりに当選したとき）に選択可能楽曲として追加される楽曲がその都度抽選により決定されるものとする。つまり、第二条件の成立時には、現状設定された選択可能楽曲の段階に比して二段階以上高い区分に属するもののうちのいずれかを選択可能楽曲として追加される構成とする。例えば、選択可能楽曲として楽曲Ａ、楽曲Ｂ、楽曲Ｃが設定されている状態（図１３（ａ）参照）において、第二条件が成立したとする。その場合には、対象選択演出における選択可能楽曲として楽曲Ｅ〜楽曲Ｇのうちのいずれかが追加される構成とする（図１３（ｂ）参照）。つまり、第一条件が成立したと仮定した場合に追加されることになる楽曲Ｄを除くいずれかの楽曲が新たに追加される構成とする。
【００５２】
このような構成としても、第二条件成立時（特定大当たり当選時）には、基本的には大当たりを複数回重ねなければ聴くことができない楽曲が選択可能楽曲として追加されることになる。
【００５３】
・第五変形例
上記実施形態では、特定大当たりに当選したことが第二条件の成立として設定され、当該特定大当たりに当選したことの結果である大当たり遊技が開始される前、または大当たり遊技が開始された後の所定期間において実行される選択演出にて楽曲Ｇが新たに選択可能楽曲として追加される（楽曲Ｇが新たに追加される）ことを説明したが、次の大当たりに当選したことを契機として実行される選択演出にて楽曲Ｇが新たに選択可能楽曲として追加される構成としてもよい。具体的には以下のような構成とする。
【００５４】
特定大当たりに当選したとき（図１４（ａ）参照）には、それを契機とした選択演出を発生させずに、その大当たり遊技中に楽曲Ｇが出力される（図１４（ｂ）参照）こととする。つまり、特定大当たりに当選した結果として実行される大当たり遊技中には、遊技者の選択によらず強制的に楽曲Ｇが出力されるようにする。特定大当たりは確変大当たりであるため、遊技者は比較的容易に次の大当たりを獲得すること（連チャンさせること）ができる。その次の大当たりに当選することを契機として選択演出（対象選択演出）が発生する場合に、先の選択演出において設定されていた選択可能楽曲に対し、楽曲Ｇが新たに選択可能楽曲として追加された状態となる（図１４（ｃ）参照）。
【００５５】
このように、本例では、特定大当たりに当選したときには、それを明確化するため、特別な楽曲である楽曲Ｇが特定大当たりの大当たり遊技中に強制的に出力されるようにする。そして、その後の選択演出において、選択可能楽曲として楽曲Ｇが新たに追加されるようにする。
【００５６】
・第六変形例
上記実施形態では、特定大当たりに当選したとき（第二条件が成立したとき）には、最も高い段階の区分に属する楽曲Ｇが選択可能楽曲として追加されることを説明したが、特定大当たりに当選したとき（第二条件が成立したとき）に、いずれの段階の区分にも属さない特別な楽曲（本発明における特別演出要素に相当する。以下、特別楽曲Ｓと称することもある）が選択可能楽曲として追加されるようにしてもよい（図１５参照）。このような特別な楽曲は複数種設定されていてもよい。
【００５７】
本例のような構成とすることによる作用は以下の通りである。上記実施形態では、特定大当たりに当選したとき楽曲Ｇが選択可能楽曲として追加されることを説明したが、そもそも楽曲Ｇは特定大当たりに当選しなくても（第二条件が成立しなくても）、通常大当たりを重ねる（複数回の第一条件の成立を実現する）ことで選択可能楽曲となりうるものである。つまり、楽曲Ｇが選択可能楽曲となるルートは、特定大当たりに当選することに限られない。これに対し本例では、通常大当たりを重ねたとしても、楽曲Ｓが選択可能楽曲となることはない。つまり、楽曲Ｓが選択可能楽曲となるルートは、特定大当たりに当選することに限られる。したがって、本例のような構成とすれば、特定大当たりの価値をより高めることが可能となる。
【００５８】
・第七変形例
上記実施形態では、通常大当たりの当選が第一条件の成立として、特定大当たりの当選が第二条件の成立として設定されていることを説明したが、これはあくまで一例である。第一条件よりも第二条件の方が成立しにくいような設定であれば、第一条件および第二条件の具体的な内容は変更可能である。
【００５９】
以上、本発明の実施形態（および具体例）について詳細に説明したが、本発明は上記実施形態に何ら限定されるものではなく、本発明の要旨を逸脱しない範囲で種々の改変が可能である。
【００６０】
例えば、上記実施形態にかかる遊技機１はいわゆるぱちんこ遊技機であるが、回動式遊技機等の他の遊技機に対し同様の技術思想を適用することが可能である。
【００６１】
また、上記実施形態は、「大当たり遊技中の演出」として出力される楽曲の設定に関するものである、すなわち楽曲という演出要素を含む対象の演出が「大当たり遊技中の演出」であることを説明したが、当該対象の演出は「大当たり遊技中の演出」に限られるわけではない。例えば、通常遊技状態とは異なる遊技状態中（上記実施形態でいう高確率遊技状態中等）において出力される楽曲等の演出要素が、上記と同様の手法により設定される構成としてもよい。
【００６２】
また、上記実施形態は、選択対象となる演出要素が「楽曲」であることを説明したが、演出を構成する要素であれば「楽曲」（音）に限られるものではない。例えば、特定の演出中に表示装置９１を通じて出力される映像等を演出要素とすることもできる。すなわち、特定の演出中に出力される映像として複数種の映像が搭載された遊技機において、当該映像等の設定について同様の技術思想を適用することも可能である。
【００６３】
また、上記実施形態における選択演出の具体的な態様はあくまで一例である。楽曲等の演出要素につき、複数種の選択可能な演出要素のうちから遊技者が任意に選択可能なものであれば、演出における選択・非選択の表示手法、遊技者による選択操作の手法（遊技者にどのようにして任意の演出要素を選択させるか）等は適宜変更可能である。
【００６４】
上記実施形態から得られる具体的手段（遊技機）を以下に列挙する。
・手段１
複数段階の区分に区分けされた、複数種の演出要素を記憶する記憶手段と、
前記複数種の演出要素のうちの一部が選択可能要素として示され、当該選択可能要素のうちから出力する演出要素を遊技者が任意に選択可能な選択演出を実行する演出実行手段と、
Ｎ（Ｎは０を除く自然数）段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはＮ＋α段階（αは２以上の自然数）の区分に属する一または複数の演出要素を新たに前記選択可能要素として設定することが可能な選択可能要素設定手段と、
を備えることを特徴とする遊技機。
上記遊技機は、第一条件成立時には一段階ずつ選択可能要素が増加していく一方、第二条件成立時には、二段階以上上位の区分に属する演出要素が選択可能要素として設定される。つまり、複数回の第一条件の成立を実現しなければ選択することができなかった演出要素が、第二条件の成立により選択可能となりうるものである。
【００６５】
・手段２
前記選択可能要素設定手段は、前記第二条件が成立したときには、Ｎ＋１段階以上かつＮ＋α段階未満の区分に属する一または複数の演出要素を前記選択可能要素として設定しないことを特徴とする手段１に記載の遊技機。
このような構成とすることで、二段階以上上位の区分に属する演出要素が選択可能となったことを分かりやすくすることが可能である。
【００６６】
・手段３
前記選択可能要素設定手段は、前記第二条件が成立してＮ＋α段階未満の区分に属する一または複数の演出要素を前記選択可能要素として設定した後、前記第一条件が成立したときにはＮ＋１段階の区分に属する一または複数の演出要素を前記選択可能要素として設定することを特徴とする手段１または手段２に記載の遊技機。
このように、第二条件が成立した後も、第一条件の成立時には、一段階ずつ選択可能要素が増加するようにすることで、第二条件が成立した後も選択可能要素が増加することを遊技者が目指すことになるから、遊技の促進に資する。
【００６７】
・手段４
前記第二条件として、通常大当たりとは異なる特定大当たりに当選したことが設定されていることを特徴とする手段１から手段３のいずれかに記載の遊技機。
・手段５
前記第一条件として、前記通常大当たりに当選したことが設定されていることを特徴とする手段４に記載の遊技機。
このような構成とすることで、大当たりの種類に注目させる遊技性とすることが可能となる。
【００６８】
・手段６
前記第二条件が成立したときに前記選択可能要素として新たに設定される演出要素は、当該第二条件成立の契機となった特定大当たり中に出力されることを特徴とする手段４または手段５に記載の遊技機。
このような構成とすれば、対象の演出要素が特定大当たり中に出力されるため、選択演出にて対象の演出要素が選択可能となるよりも前にその内容を遊技者が把握することが可能となる。
【００６９】
・手段７
各段階の区分に属する前記演出要素は一つのみであることを特徴とする手段１から手段６のいずれかに記載の遊技機。
このような構成とすれば、各段階と楽曲の種類との対応関係が分かりやすいものとなる。
【００７０】
・手段８
複数段階の区分に区分けされた、複数種の演出要素を記憶する記憶手段と、
前記複数種の演出要素のうちの一部が選択可能要素として示され、当該選択可能要素のうちから出力する演出要素を遊技者が任意に選択可能な選択演出を実行する演出実行手段と、
Ｎ段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはいずれの区分にも属さない特別演出要素を新たに前記選択可能要素として設定する選択可能要素設定手段と、
を備えることを特徴とする遊技機。
このような構成とすることで、第二条件が成立したときには、（第一条件が何回成立しても出力されることはない）特別な演出要素を選択することが可能となるため、第二条件成立の価値が高まる。
【符号の説明】
【００７１】
１  遊技機
９１  表示装置
９１１  表示領域
９２  スピーカ
【図１】
2018161231.tif 000003
【図２】
2018161231.tif 000004
【図３】
2018161231.tif 000005
【図４】
2018161231.tif 000006
【図５】
2018161231.tif 000007
【図６】
2018161231.tif 000008
【図７】
2018161231.tif 000009
【図８】
2018161231.tif 000010
【図９】
2018161231.tif 000011
【図１０】
2018161231.tif 000012
【図１１】
2018161231.tif 000013
【図１２】
2018161231.tif 000014
【図１３】
2018161231.tif 000015
【図１４】
2018161231.tif 000016
【図１５】
2018161231.tif 000017